(57)【要約】      （修正有）【課題】無方向性の読み取りを可能とする回転式一次元バーコードリーダーを提供する。【解決手段】バーコードリーダー１０、モーター１１、複数のブラシ１５Ａ〜１５Ｄ、絶縁リング１６Ａ〜１６Ｃ、金属リング１７Ａ〜１７Ｃを備える。モーター及びバーコードリーダーの電源線２１〜２４は、ブラシ、ベアリングを経由し、又は、ブラシ、金属リング、絶縁リングを経由し、バーコードリーダーへと繋がり、さらに、アウトプット用の信号線２５，２６を設置し、信号線は、絶縁リングを経由し、金属リングに至り、さらにブラシより伝送される。バーコードリーダーは、ベアリング１２に固定し、モーターのベアリング回転により光源としてシーバーは円形を呈する。【選択図】図２
0003162168.tif 000002
【実用新案登録請求の範囲】
【請求項１】
モーター、及び前記モーターに固定するベアリングを備え、
バーコードリーダーは、前記ベアリングに固定し、前記モーターのベアリング回転により、あらゆる方向の一次元バーコードを読み取ることができ、無方向性一次元バーコードの読み取りを達成することを特徴とする回転式一次元バーコードリーダー。
【請求項２】
前記バーコードリーダーの電源は、ブラシによりインプットすることを特徴とする請求項１に記載の回転式一次元バーコードリーダー。
【請求項３】
前記バーコードリーダーの信号は、ブラシによりアウトプットされ、また無線伝送によりアウトプットされることを特徴とする請求項１に記載の回転式一次元バーコードリーダー。
【請求項４】
前記バーコードリーダーに電源をインプットする電源線は、絶縁が必須で、電源のアース線以外の他の接続線は、必ず先ず前記ベアリング上において絶縁リングを嵌め、次に金属リングを嵌め、前記ブラシと接続することを特徴とする請求項２に記載の回転式一次元バーコードリーダー。
【請求項５】
前記バーコードリーダーに信号をインプットする信号線は、絶縁が必須で、電源のアース線以外の他の接続線は、必ず先ず前記ベアリング上において絶縁リングを嵌め、次に金属リングを嵌め、前記ブラシと接続することを特徴とする請求項３に記載の回転式一次元バーコードリーダー。
【請求項６】
前記モーターは直流を採用する場合には、その電源線は、前記バーコードリーダーと共用が可能であることを特徴とする請求項１に記載の回転式一次元バーコードリーダー。
【請求項７】
前記接続線が、他の前記ブラシを通過する時には、前記絶縁リングと前記ベアリングとの間を通過することができ、前記ブラシの邪魔をすることはないことを特徴とする請求項４に記載の回転式一次元バーコードリーダー。
【請求項８】
前記金属リングは、接着剤を用いて固定し、或いは挿入ピンを用いて固定することを特徴とする請求項４に記載の回転式一次元バーコードリーダー。
【請求項９】
前記電源線及び前記信号線には、絶縁コーティングを施すことを特徴とする請求項４に記載の回転式一次元バーコードリーダー。
【請求項１０】
前記接続線が前記ブラシを避けようとする時には、中空のベアリングを採用し、前記ベアリング上の貫通孔より中空の通路に進入し、こうしてすべての絶縁リングは一つになることを特徴とする請求項６に記載の回転式一次元バーコードリーダー。
【請求項１１】
前記接続線が前記ブラシを避けようとする時には、絶縁ベアリングを採用し、前記絶縁リングを設置する必要はないことを特徴とする請求項６に記載の回転式一次元バーコードリーダー。
【請求項１２】
前記モーターと前記バーコードリーダーの光源とは、同時にオン、オフの切り替えを行うことができ、
また、前記モーターを先にオンにし安定した回転速度を保持し、バーコードを読み取る時に、光源をオンにすることができることを特徴とする請求項１に記載の回転式一次元バーコードリーダー。
【請求項１３】
前記バーコードリーダーは、接近センサーを使用し、バーコードが近づくと自動的に光源をオンにすることができることを特徴とする請求項１に記載の回転式一次元バーコードリーダー。
【請求項１４】
前記光源は、レーザー光線などをバーコード中心点に照射し、指示光点を形成し、これによりバーコード中心位置に照準を合わせ、バーコードの読み取りの便を図ることを特徴とする請求項１に記載の回転式一次元バーコードリーダー。
【請求項１５】
前記光源は可視光、或いは不可視光であることを特徴とする請求項１３に記載の回転式一次元バーコードリーダー。
【請求項１６】
前記バーコードリーダーの形状は、固定型、ハンドヘルド型、或いはガンタイプなどの形状にできることを特徴とする請求項１に記載の回転式一次元バーコードリーダー。
【考案の詳細な説明】
【技術分野】
【０００１】
本考案は回転式一次元バーコードリーダーに関し、特に方向性を有する従来の一次元バーコードリーダーをモーターで回転させることで、無方向性の読み取りを可能とする回転式一次元バーコードリーダーに関する。
【背景技術】
【０００２】
一次元バーコードリーダーの歴史は既に半世紀にわたる。その原理は、光源をバーコードに照射し、その反射光線を受け取り、それを電子信号に転換し、デコーダー(Decoder)により、そのバーコードが対応する商品を判断するものである。その光源としては、LED(Light Emitting Diode)とレーザーダイオード(Laser Diode)が用いられる。そのレシーバーとしては、CCD(charge-coupled device)、CMOS(Complementary Metal-Oxide Semiconductor)、フォトダイオード(Photo Diode)が持ちられる。
【０００３】
バーコードを読み取る時には、一般的には、光源はバーコード全体を網羅しなければならないため、図１に示すように、光源０２を一本線とし、レシーバーのCCDとCMOSもまたリニアセンサー(Linear CCD/CMOS Sensor)とする。こうして、フォトダイオード(Photo Diode)は、レーザー (Laser)光線と一緒に、レンズ面に従いスイングし、リニアセンサーとなる。上記した方式では、その光源とレシーバーは共に、図１に示すように、人力で操作し、光源０２をバーコード０１に垂直に焦点を合わせなければ、読み取ることはできない。しかし、焦点を合わせる動作に、使用者は気を使い、また時間の浪費である。
【０００４】
よって、メーカー各社は、焦点を合わせる必要のない一次元バーコードリーダーを開発した。すなわちこれが、無方向性の一次元バーコードリーダーである。その方法を以下に説明する。
１．レーザー光線による方法は、回転する多面鏡(rotating polygonal mirror)を利用し、異なる方向の多数のレーザー光線を反射するため、バーコードをどの方向に置こうとも、必ず１本のレーザー光線は、ほぼ垂直に近い状態でバーコードにフォーカスし、読み取りに成功する。その欠点は、機械構造が複雑かつ精密であるため、高価なことである。
２．LEDを光源とする方法は、特許文献１が掲示するように、撮影の方法を利用し、バーコード全体の画面を矩形排列のCCD或いはCMOSセンサー(sensor)により受け取り、電子信号に転換し、多くの信号中を解析し、一次元バーコードの信号を取り出す。その欠点は、画面全体を網羅するために、必要な光源の数が比較的多いことで、矩形排列のCCD/CMOSセンサー(sensor)は、リニア(Linear)センサーより高価で、画素数(pixels)が多いため、解析しなければならない信号も多く、そのため使用するデコーダーも高グレードにならざるを得ず、非常に高価である。
【先行技術文献】
【特許文献】
【０００５】
【特許文献１】アメリカ合衆国特許第７４２８９９１号明細書
【考案の概要】
【考案が解決しようとする課題】
【０００６】
本考案が解決しようとする課題は、方向性を有する従来の一次元バーコードリーダーをモーターで回転させることで、無方向性の読み取りを可能とする回転式一次元バーコードリーダーを提供することである。
【課題を解決するための手段】
【０００７】
上記課題を解決するため、本考案は下記の回転式一次元バーコードリーダーを提供する。
回転式一次元バーコードリーダーは、モーター、及びモーターに固定するベアリングを備え、
一次元(One-Dimensional)バーコードリーダーは、該ベアリングに固定し、該モーターのベアリング回転により、元来の線形の光源とレシーバーは円形を呈するようになり、各方向の線形光源とレシーバーを生じ、
その電源と信号はブラシにより、インプット及びアウトプットし、
こうしてあらゆる方向の一次元バーコードを読み取ることができ、
読み取り後にアウトプットする電子信号は、ブラシ或いは無線伝送により、コンピューター、POS(point of sale)、PDAなどの装置に伝送され、
回転式一次元バーコードリーダーは、多数のブラシを備えるため、該各ブラシ間は絶縁する必要があり、電源のアース以外の他のブラシは、先ず該ベアリング上で絶縁リングを嵌め、次に金属リングを嵌め、
該金属リングの接続線は、該絶縁リングを貫通後にバーコードリーダーに接続し、
中空のベアリングを使用することで、バーコードリーダーへの接続線の連接を便利にすることができ、
或いは、絶縁材質のベアリングを採用し、絶縁リングを使用せず、
該モーターは直流を採用する場合には、その電源線は、該バーコードリーダーと共用が可能で、
該バーコードリーダーは、別に光源を設置し、小光点を生じ、これによりバーコードの中心位置におおよそ照準を合わせ、これにより読み取りはより便利となり、
該モーターと該光源とは、同時にオン、オフの切り替えを行うことができ、
また、モーターは起動に時間が必要であるため、独立した切り替えに設計することができ、モーターを先にオンにし運転状態を保持し、安定した回転速度を維持することで、読み取りの速度を速め、
或いは、接近センサーを使用し、バーコードが近づくと自動的に光源をオンにすることができ、
該光源は可視光、或いは不可視光で、
該バーコードリーダーの形状は、固定型、ハンドヘルド型(Hand-Held)、ガンタイプ(Gun type)、或いは他の各種形状にすることができる。
【考案の効果】
【０００８】
本考案回転式一次元バーコードリーダーは、モーターとベアリングを設置するバーコードリーダーで、方向性を有する従来の一次元バーコードリーダーをモーターで回転させることで、無方向性の読み取りを可能とするものである。
【図面の簡単な説明】
【０００９】
【図１】従来の一次元バーコードリーダーの実施例を示す模式図である。
【図２】本考案第一実施例の構造図である。
【図３】本考案第二実施例の構造図である。
【図４】本考案第三実施例の構造図である。
【図５】本考案第四実施例の構造図である。
【考案を実施するための形態】
【００１０】
図２に示すように、本考案は従来の方向性を有する一次元バーコードリーダー１０を設置する。その光源０２は、図１に示すように線形で、人力により、バーコード０１に垂直に焦点を合わせなければ、バーコード０１を読み取ることはできない。本考案は主に、モーター１１、及びモーター１１に固定するベアリング１２を備える。バーコードリーダー１０は、ベアリング１２に固定し、モーター１１の回転により、バーコードリーダー１０の光源は、本来の線形から、図示のような円形の光源照射面１３へと変化する。光源照射面１３は、バーコード１４全体を網羅するため、バーコード１４がどの方向を呈していても読み取ることができる。上記した光源は、可視光線、或いは不可視光線である。
【００１１】
本考案はさらに、ブラシ１５A、１５B、１５C、１５D、絶縁リング１６A、１６B、１６C、金属リング１７A、１７B、１７Cを設置し、モーター１１の電源線２１、２２及びバーコードリーダー１０の電源線２３、２４に電力をインプットする。電源線２３は、アースで、ブラシ１５Dとベアリング１２を経由し、バーコードリーダー１０へと繋がる。電源線２４は、ブラシ１５C、金属リング１６Cを経由し、絶縁リング１６B、１６Aを経由し、バーコードリーダー１０へと繋がる。
本考案はさらに、アウトプット用の信号線２５、２６を設置する。信号線２５は、絶縁リング１６Aを経由し、金属リング１７Bに至り、さらにブラシ１５Bより伝送される。信号線２６は、金属リング１７Aに連接し、さらにブラシ１５Aより伝送される。上記した各電線にはすべて、絶縁コーティングを行う必要があり、また装置全体の形状は、固定型、ハンドヘルド型、或いはガンタイプなどの形状にすることができる。
【００１２】
図３に示すように、本考案が直流モーターを使用する場合には、その電源は、バーコードリーダー１０と共用することができる。その接続方式は、図示の通りである。
【００１３】
図４に示すように、本考案ベアリング１２は、中空型に成型することができる。電源線２４は、貫通孔２７からベアリング１２内部へと進入し、信号線２５も同様に、先ずベアリング１２内部を経由し、貫通孔２８から出て行く。こうして、絶縁リング１６A、１６B、１６Cを避けることができる。上記した方式により製造する時には、絶縁リング１６A、１６B、１６Cは一つにすることができる。また、金属リング１７A、１７B、１７Cは、接着剤を用いて固定することができ、または、図に示すように、固定挿入ピン１８A、１８B、１８Cを使用して固定することもできる。
図４に示すように、本考案はレーザーなどの光線をバーコードの中心点に照射し、指示光点１９を形成して、便利に読み取ることができる。
【００１４】
図５に示すように、本考案の第四実施例では、無線伝送装置２９、３０により、読み取った信号を無線信号としてアウトプットすることができる。
【００１５】
本考案の使用時には、モーター１１と光源０２とは、同時にオン、オフの切り替えを行うことができる。また、モーター１１を先にオンにし安定した回転速度を保持し、バーコードを読み取る時に、光源０２をオンにすることができる。また、接近センサーを使用し、バーコードが近づくと自動的に光源０２をオンにすることができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１７】
０１  バーコード
０２  光源
１０  バーコードリーダー
１１  モーター
１２  ベアリング
１３  光源照射面
１４  バーコード
１５A、１５B、１５C、１５D  ブラシ
１６A、１６B、１６C  絶縁リング
１７A、１７B、１７C  金属リング
１８A、１８B、１８C  固定挿入ピン
１９  指示光点
２１、２２、２３、２４  電源線
２５、２６  信号線
２７、２８  貫通孔
２９、３０  無線伝送装置
【図１】
0003162168.tif 000003
【図２】
0003162168.tif 000004
【図３】
0003162168.tif 000005
【図４】
0003162168.tif 000006
【図５】
0003162168.tif 000007
【手続補正書】
【提出日】平成22年5月12日(2010.5.12)
【手続補正１】
【補正対象書類名】実用新案登録請求の範囲
【補正対象項目名】全文
【補正方法】変更
【補正の内容】
【実用新案登録請求の範囲】
【請求項１】
バーコードリーダー、モーター、複数のブラシ、絶縁リング、金属リングを備え、
前記モーター及び前記バーコードリーダーの電源線に電力をインプットし、其のうち、前記電源線は、前記ブラシ、ベアリングを経由し、前記バーコードリーダーへと繋がり、且つ前記電源線は、前記ブラシ、前記金属リングを経由し、前記絶縁リングを経由し、前記バーコードリーダーへと繋がり、
さらに、アウトプット用の信号線を設置し、前記信号線は、前記絶縁リングを経由し、前記金属リングに至り、
さらにブラシより伝送され、前記信号線は前記金属リングへと繋がり、ブラシより伝送され、
前記モーターに固定するベアリングを備え、
バーコードリーダーは、前記ベアリングに固定し、前記モーターのベアリング回転により、あらゆる方向の一次元バーコードを読み取ることができ、無方向性一次元バーコードの読み取りを達成することを特徴とする回転式一次元バーコードリーダー。
【請求項２】
さらに、無線伝送装置を備え、前記バーコードリーダーの信号は、前記無線伝送装置によりアウトプットされることを特徴とする請求項１に記載の回転式一次元バーコードリーダー。
【請求項３】
バーコードリーダーの電源をインプットする電源線は、前記ベアリング上において絶縁リングを嵌め、次に前記絶縁リングにおいて前記金属リングを嵌め、前記ブラシと接続することを特徴とする請求項１に記載の回転式一次元バーコードリーダー。
【請求項４】
バーコードリーダーの信号をインプットする信号線は、前記ベアリング上において絶縁リングを嵌め、次に前記絶縁リングにおいて前記金属リングを嵌め、前記ブラシと接続することを特徴とする請求項１に記載の回転式一次元バーコードリーダー。
【請求項５】
前記金属リングは、接着剤を用いて固定し、或いは挿入ピンを用いて固定することを特徴とする請求項３或いは請求項４に記載の回転式一次元バーコードリーダー。
【請求項６】
前記電源線及び前記信号線には、絶縁コーティングを施すことを特徴とする請求項１に記載の回転式一次元バーコードリーダー。
【請求項７】
前記接続線が前記ブラシを避けようとする時には、中空のベアリングを採用することができることを特徴とする請求項３或いは請求項４に記載の回転式一次元バーコードリーダー。
【請求項８】
前記接続線が前記ブラシを避けようとする時には、絶縁ベアリングを採用することができることを特徴とする請求項３或いは請求項４に記載の回転式一次元バーコードリーダー。
【請求項９】
前記モーターと前記バーコードリーダーの光源とは、同時にオン、オフの切り替えを行うことができ、
また、前記モーターを先にオンにし安定した回転速度を保持し、バーコードを読み取る時に、光源をオンにすることができることを特徴とする請求項１に記載の回転式一次元バーコードリーダー。
【請求項１０】
前記バーコードリーダーは、接近センサーを使用し、バーコードが近づくと自動的に光源をオンにすることができることを特徴とする請求項１に記載の回転式一次元バーコードリーダー。
【請求項１１】
前記光源は、レーザー光線をバーコード中心点に照射し、指示光点を形成し、これによりバーコード中心位置に照準を合わせ、バーコードの読み取りの便を図ることを特徴とする請求項１に記載の回転式一次元バーコードリーダー。
【請求項１２】
前記光源は可視光、或いは不可視光であることを特徴とする請求項１１に記載の回転式一次元バーコードリーダー。
【請求項１３】
前記バーコードリーダーの形状は、固定型、ハンドヘルド型、或いはガンタイプにできることを特徴とする請求項１に記載の回転式一次元バーコードリーダー。
【手続補正書】
【提出日】平成22年6月21日(2010.6.21)
【手続補正１】
【補正対象書類名】実用新案登録請求の範囲
【補正対象項目名】全文
【補正方法】変更
【補正の内容】
【実用新案登録請求の範囲】
【請求項１】
バーコードリーダー、モーター、複数のブラシ、絶縁リング、金属リングを備え、
前記モーター及び前記バーコードリーダーの電源線に電力をインプットし、其のうち、前記電源線は、前記ブラシ、ベアリングを経由し、前記バーコードリーダーへと繋がり、且つ前記電源線は、前記ブラシ、前記金属リングを経由し、前記絶縁リングを経由し、前記バーコードリーダーへと繋がり、
さらに、アウトプット用の信号線を設置し、前記信号線は、前記絶縁リングを経由し、前記金属リングに至り、
さらにブラシより伝送され、前記信号線は前記金属リングへと繋がり、ブラシより伝送され、
前記モーターに固定するベアリングを備え、
バーコードリーダーは、前記ベアリングに固定し、前記モーターのベアリング回転により、あらゆる方向の一次元バーコードを読み取ることができ、無方向性一次元バーコードの読み取りを達成することを特徴とする回転式一次元バーコードリーダー。
【請求項２】
さらに、無線伝送装置を備え、前記バーコードリーダーの信号は、前記無線伝送装置によりアウトプットされることを特徴とする請求項１に記載の回転式一次元バーコードリーダー。
【請求項３】
バーコードリーダーの電源をインプットする電源線は、前記ベアリング上において絶縁リングを嵌め、次に前記絶縁リングにおいて前記金属リングを嵌め、前記ブラシと接続することを特徴とする請求項１に記載の回転式一次元バーコードリーダー。
【請求項４】
バーコードリーダーの信号をインプットする信号線は、前記ベアリング上において絶縁リングを嵌め、次に前記絶縁リングにおいて前記金属リングを嵌め、前記ブラシと接続することを特徴とする請求項１に記載の回転式一次元バーコードリーダー。
【請求項５】
前記金属リングは、接着剤を用いて固定し、或いは挿入ピンを用いて固定することを特徴とする請求項３或いは請求項４に記載の回転式一次元バーコードリーダー。
【請求項６】
前記電源線及び前記信号線には、絶縁コーティングを施すことを特徴とする請求項１に記載の回転式一次元バーコードリーダー。
【請求項７】
前記電源線接続線が前記ブラシを避けようとする時には、中空のベアリングを採用することができることを特徴とする請求項３に記載の回転式一次元バーコードリーダー。
【請求項８】
前記信号線接続線が前記ブラシを避けようとする時には、絶縁ベアリングを採用することができることを特徴とする請求項４に記載の回転式一次元バーコードリーダー。
【請求項９】
前記モーターと前記バーコードリーダーの光源とは、同時にオン、オフの切り替えを行うことができ、
また、前記モーターを先にオンにし安定した回転速度を保持し、バーコードを読み取る時に、光源をオンにすることができることを特徴とする請求項１に記載の回転式一次元バーコードリーダー。
【請求項１０】
前記バーコードリーダーは、接近センサーを使用し、バーコードが近づくと自動的に光源をオンにすることができることを特徴とする請求項１に記載の回転式一次元バーコードリーダー。
【請求項１１】
前記バーコードリーダーの光源は、レーザー光線をバーコード中心点に照射し、指示光点を形成し、これによりバーコード中心位置に照準を合わせ、バーコードの読み取りの便を図ることを特徴とする請求項９に記載の回転式一次元バーコードリーダー。
【請求項１２】
前記バーコードリーダーの光源は可視光、或いは不可視光であることを特徴とする請求項９に記載の回転式一次元バーコードリーダー。
【請求項１３】
前記バーコードリーダーの形状は、固定型、ハンドヘルド型、或いはガンタイプにできることを特徴とする請求項１に記載の回転式一次元バーコードリーダー。